(57)【要約】  【課題】本発明は、歪み検出が可能な面状体を提供すること。  【解決手段】所定の位置の歪みを検出する面状体において、面状体材料に保護管２１を予め組み込み、その後に保護管２１内に光ファイバ２を配置する。【選択図】        図２
2005308535.tif 000002
【特許請求の範囲】
【請求項１】
所定の位置の歪みを検出するための面状体であって、
光ファイバ収納用の保護管を面状体材料に一体に組み込んだことを特徴とする、
歪みを検出する面状体。
【請求項２】
所定の位置の歪みを検出するための面状体であって、
面状体材料に一体に組み込む光ファイバ挿入用の保護管と、
前記保護管内に挿入する光ファイバとよりなり、
保護管に光ファイバを挿入して一体化したことを特徴とする、
歪みを検出する面状体。
【請求項３】
請求項１または請求項２に記載した歪みを検出する面状体において、保護管の外周面と自己接着力により面状体材料が一体化していることを特徴とする、歪みを検出する面状体。
【請求項４】
請求項１または請求項２に記載した歪みを検出する面状体において、保護管の周面を凹凸形状に形成し、面状体材料と前記保護管の周面とが密着して一体化していることを特徴とする、歪みを検出する面状体。
【請求項５】
請求項２乃至請求項４の何れかに記載した歪みを検出する面状体において、保護管と光ファイバの間に接着剤による固結層を形成し、前記固結層を介して保護管と光ファイバが一体化していることを特徴とする、歪みを検出する面状体。
【請求項６】
歪みを検出するための面状体の製造方法であって、
溶融した面状体材料を格子状にして面状体を形成するときに、溶融した面状体材料内に光ファイバ収納用の保護管を挿入して一体に固着することを特徴とする、歪みを検出する面状体の製造方法。
【請求項７】
歪みを検出するための面状体の製造方法であって、
溶融した面状体材料を格子状にして面状体を形成するときに、溶融した面状体材料内に光ファイバ収納用の保護管を挿入して一体に固着し、
前記面状体の保護管内に光ファイバを収容して保護管と光ファイバとを一体化することを特徴とする、
歪みを検出する面状体の製造方法。
【請求項８】
請求項６または請求項７に記載した歪みを検出する面状体の製造方法において、溶融する面状体材料の自己接着力により保護管の外周面と一体化させることを特徴とする、歪みを検出する面状体の製造方法。
【請求項９】
請求項７または請求項８に記載した歪みを検出する面状体の製造方法において、周面に凹凸加工を施した保護管を使用し、溶融する面状体材料の自己接着力により前記保護管の凹凸形状を有する外周面と一体化させることを特徴とする、歪みを検出する面状体の製造方法。
【請求項１０】
請求項７乃至請求項９の何れかに記載した歪みを検出する面状体の製造方法において、保護管と光ファイバの間を接着剤による固結層により一体化することを特徴とする、歪みを検出する面状体の製造方法。
【発明の詳細な説明】
【技術分野】
【０００１】
本発明は、光ファイバを利用して歪みを検出する面状体及びその製造方法に関するものである。
【背景技術】
【０００２】
盛土の変形を検出する方法のひとつとして光ファイバを用いる方法が試みられている。
この方法は、ジオグリッド等の盛土補強材として機能する面状体を盛土に埋設する際に、光ファイバを一緒に埋設し、盛土の性情変化を埋設した光ファイバの歪み変化として測定する方法である。
【発明の開示】
【発明が解決しようとする課題】
【０００３】
前記した光ファイバと面状体を組み合わせた測定技術にあっては、次のような問題点がある。
（１）光ファイバと面状体を一体化する好適な製造技術が提案されていない。
特に、光ファイバは熱に対して弱いため、溶融した面状体材料を基に格子状の面状体を製造する過程で光ファイバを組み込むことが技術的に難しい。
（２）耐熱性に優れた特殊な光ファイバを面状体の製造時に直接埋設する発明も存在するが（特開２００２−１２２４１４）、耐熱性に優れた特殊な光ファイバは一般の光ファイバと比べて非常に高額であるため、実用面で改善の余地がある。
（３）光ファイバは損傷し易いから、面状体の外部に光ファイバを後付けしても、変位した時に光ファイバがずれて面状体の変位に追従できなかったり光ファイバが棄損したりするために、後付けする方法も実用的ではない。
（４）以上の理由から、コストや検出精度の面で実用化するまでには至っていない。
【０００４】
本発明は以上の点に鑑みて成されたもので、その目的とするところは、つぎの何れかひとつの歪みを検出する面状体及びその製造方法を提供することにある。
（１）面状体に光ファイバを組み付けることを実用化すること。
（２）光ファイバを一体に組み付けた面状体を低廉に製造できること。
（３）面状体を介して歪みを正確に検出できること。
【課題を解決するための手段】
【０００５】
本発明に係る歪みを検出する面状体は、所定の位置の歪みを検出するための面状体であって、光ファイバ収納用の保護管を面状体材料に一体に組み込んだことを特徴とするものである。
さらに本発明に係る歪みを検出する面状体は、所定の位置の歪みを検出するための面状体であって、面状体材料に一体に組み込む光ファイバ挿入用の保護管と、前記保護管内に挿入する光ファイバとよりなり、保護管に光ファイバを挿入して一体化したことを特徴とするものである。
さらに本発明に係る歪みを検出する面状体は、前記した何れかの歪みを検出する面状体において、保護管の外周面と自己接着力により面状体材料が一体化していることを特徴とするものである。
さらに本発明に係る歪みを検出する面状体は、前記した何れかの歪みを検出する面状体において、保護管の周面を凹凸形状に形成し、面状体材料と前記保護管の周面とが密着して一体化していることを特徴とするものである。
さらに本発明に係る歪みを検出する面状体は、前記した何れかの歪みを検出する面状体において、保護管と光ファイバの間に接着剤による固結層を形成し、前記固結層を介して保護管と光ファイバが一体化していることを特徴とするものである。
また本発明に係る歪みを検出するための面状体の製造方法は、溶融した面状体材料を格子状にして面状体を形成するときに、溶融した面状体材料内に光ファイバ収納用の保護管を挿入して一体に固着することを特徴とするものである。
本発明に係る歪みを検出するための面状体の製造方法は、溶融した面状体材料を格子状にして面状体を形成するときに、溶融した面状体材料内に光ファイバ収納用の保護管を挿入して一体に固着し、前記面状体の保護管内に光ファイバを収容して保護管と光ファイバとを一体化することを特徴とするものである。
さらに本発明に係る歪みを検出する面状体の製造方法は、前記した何れかの面状体の製造方法において、溶融する面状体材料の自己接着力により保護管の外周面と一体化させることを特徴とするものである。
さらに本発明に係る歪みを検出する面状体の製造方法は、前記した何れかの面状体の製造方法において、周面に凹凸加工を施した保護管を使用し、溶融する面状体材料の自己接着力により前記保護管の凹凸形状を有する外周面と一体化させることを特徴とするものである。保護管の凹凸形状を付与するには、例えば表面に凹凸を加工した２個以上のローラで保護管を押しながら回転して、保護管の周面に凹凸加工を施すことにより形成することができる。
さらに本発明に係る面状体の製造方法は、前記した何れかの面状体の製造方法において、保護管と光ファイバの間を接着剤による固結層により一体化することを特徴とするものである。
上述した各面状体は、補強材、排水材、土木シート、フィルタ、又は遮水シートであることを特徴とするものである。
【発明の効果】
【０００６】
本発明は少なくともつぎの一つの効果を得ることができる。
（１）面状体材料に保護管を予め一体に組み込んだ後に、保護管内に光ファイバを配置する構成を採用することで、光ファイバを常温の環境下で面状体に組み付けできることとなり、これまで困難であった光ファイバを組み込んだ歪み検出機能を有する面状体の実用化が可能となる。
（２）光ファイバを高温の環境でなく常温で組み付けできるので、一般の安価な光ファイバの使用が可能となり、歪みを検出する面状体の製造コストを大幅に低減できる。
（３）面状体と保護管と光ファイバの三部材を一体化することで、面状体の変位に保護管と光ファイバが追従できるので、歪みの検出精度が大幅に向上する。
殊に凹凸加工を施した保護管を使用した場合は、凹凸を施さないものと比べて追従性が良くなるので、歪みの検出精度がさらによくなる。
【発明を実施するための最良の形態】
【０００７】
以下図面を参照しながら本発明の好適なト実施の形態について説明する。
＜１＞歪みの検出技術の概要
図１に歪みを検出できる面状体１の斜視図を示す。
本発明は面状体本体１４を製造する際に、溶融した面状体材料に保護管２１を一体に組み込んだものであり、光ファイバ２を後から保護管２１に挿入して一体化することで歪みを検出できる面状体１が得られる。
面状体本体１４に変形や伸張等の変位を生じると、面状体本体１４にかかる力がそのまま保護管２１を介して保護管２１内の光ファイバ２へ伝えられる結果、保護管２１と光ファイバ２が面状体本体１４に追従して変位する。この光ファイバ２の歪みを電気的に検出することで、面状体本体１４の変位の有無とその変位量を測定又は監視するものである。
【０００８】
図示した歪みを検出できる面状体１について説明すると、面状体本体１４は保護管２１を有する。保護管２１内に設置した光ファイバ２の端は、歪み検出装置２３に接続する。面状体１に力が作用し、保護管２１の所定個所に歪みが生じると、光ファイバ２を経由して歪み検出装置２３でその所定個所の位置と歪みの量を測定することができる。光ファイバ歪み検出装置２２は、例えば「ＢＯＴＤＲ」（安藤電気株式会社製）が使用できる。
【０００９】
＜２＞面状体本体
面状体本体１４は、２方向又は複数方向に物体があり、その中間に空間がある格子状のものである。
図１に盛土の補強材として一般に使用される格子状の面状体本体１４を示す。面状体本体１４は、例えばポリエチレン等の樹脂を主材とする縦材１２と横材１１とを格子状に形成するもので、縦材１２又は横材１１の何れか一方にはアラミド繊維、炭素繊維やガラス繊維等の補強線１３を入れて、強度を増している。
保護管２１は、面状体の歪みを検出する必要な位置に配置されるように取り付けられる。保護管２１の設置方法については後述する。
図１の格子状の面状体では、保護管２１を特定の縦材１２に配置した形態を示す。
また、面状体本体１４は、上記した樹脂製のネット材の他に、網、織物、編物又は不織布のように糸状材料で形成したものや、板状に形成したものも含むものであり、またその全体形状も正方形や長方形等の矩形の他に、円形や楕円形等の輪郭形状が曲線形であってもよく、特に形状の制約はない。
【００１０】
＜３＞保護管
保護管２１は、面状体本体１４に予め組み込んで光ファイバ２の損傷を保護する保護部材である。
本例では面状体本体１４内に保護管２１を完全に埋設した形態について説明するが、面状体本体１４に組み込むその他の形態としては、保護管２１を面状体本体１４内の表面から一部を露出させて配置する形態や、保護管２１を面状体本体１４に絡み合わせる形態も含むものである。いずれの組み込み形態においても、面状体本体１４の変形や変位などの歪みを保護管２１に直接伝達できる設置構造が好ましい。
保護管２１は、プラスチック製、金属製など、内部に収容した光ファイバを、熱や外力から物理的に保護できる性質と、面状体本体１４の変形や変位に追従して歪みを容易に受ける性質の材質が好ましい。
実用上、保護管２１にはステンレス管が望ましい。
【００１１】
保護管２１は、少なくともその外周面に凹凸形状を設けて、面状体本体１４との一体性を高めて面状体本体１４の変形に対する追従性を向上できるようになっている。
凹凸形状は、溝、突起、孔などの形状であり、保護管２１の外周全面に亘って設けたり、又はその一部に設けたり、或いは又は、全体的に均一に分散させて設けたりする。要は保護管２１と面状体本体１４との間の滑り抵抗を増すことができる形状と構造であればよい。
【００１２】
＜４＞保護管の凹凸形状
前記した凹凸形状は、保護管２１の外周面にだけ設け、内周面を円滑に形成する形態と、保護管２１の内外両面に形成する形態のふたつがある。
保護管２１の内外両面に凹凸形状２１１を形成するには、例えば保護管２１を外部から加圧して塑性変形させることで、保護管２１の内面にも外周面の凹凸に対応した凹凸形状を形成することができる。
保護管２１に凹凸形状２１１を形成するには、例えば図２に示すように、複数の成形用ローラ５１を具備した加工装置を使用して形成することができる。
成形用ローラ５１は外周面に歯型を形成した回転ローラで、二個のローラ５１を一組として相対向して配置し、成形加工前の保護管２１の外径より狭い間隔で配置してある。
図２は一組の成形用ローラ５１を配置して保護管２１を挟み押圧しながら保護管２１の２方向に凹凸形状２１１を形成した場合を示し、図３は成形用ローラ５１を二組配置して保護管２１の四方に凹凸形状２１１を形成する場合を示す。
成形用ローラ５１の設置組数や歯型形状については適宜選択するものとする。
【００１３】
＜５＞保護管の設置方法
本例では面状体本体１４を製造する際に保護管２１を一緒に組み込む場合について説明する。
図６は面状体本体１４を製造する面状体の製造装置４のモデル図で、容器４内には溶融状態で樹脂等の面状体材料が収容してあり、容器４の真下には形成部４２が位置し、形成部４２の前方には巻取ドラム４３が設けられている。
形成部４２の後方には、形成部４２内へ向けて単数又は複数の凹凸加工を施した保護管２１と、図示を省略した補強線１３とを連続供給できるようになっている。
そして、容器４内の溶融状態の面状体材料を形成部４２に供給し、形成部４２の内部で網状に成形するとき、保護管２１を溶融状態の面状体本体１４の内部に長手方向に向けて埋設する。保護管２１を埋設した溶融状態の面状体本体１４は、水冷又は空冷による強制冷却を経て巻取ドラム４３に巻き取られる。
【００１４】
このように凹凸形状２１１を施した保護管２１を面状体本体１４の製造時に一緒に埋設させることで、面状体本体１４の材料による自己接着力により保護管２１の外周面と接着して一体化する。殊に図４に示すように保護管２１の外周面の凹凸形状２１１があると、面状体本体１４の母材が互い食い込んで密着度がさらに増すことになる。保護管２１に凹凸形状を設けない場合と比べて相互間の抜き取り抵抗は格段に高くなり、保護管２１と面状体は実質的に一体化となる。
尚、保護管２１の凹凸加工は、面状体本体１４を製造する課程で並行して行うか、或いは予め凹凸加工を施した保護管２１を使用するかの何れでもよい。
【００１５】
光ファイバ２は保護管２１を組み込んで製造した面状体本体１４を対象に組み付ける。すなわち、保護管２１内に光ファイバ２を挿入して一体に固定して、歪みを検出できる面状体１を得る。
保護管２１と光ファイバ２の固定手段としては、接着、圧入等の手段を適用可能で、実用上は挿入直前に光ファイバ２に接着剤を塗布するとよい。接着剤を用いる場合、挿入途中で固結しないように接着剤に固化遅延剤を添加して固結時間を長くするとよい。
【００１６】
以上のように、保護管２１に光ファイバ２を後から挿入して一体化するため、光ファイバ２は面状体本体１４を製造する時に発生する熱（熔融熱）の影響をまったく受けずにセットすることができる。
特に、図５に示すように、内外両面に凹凸を形成した保護管２１内に接着剤を介して光ファイバ２を固定すると、光ファイバ２１と接着剤の固結層２２の間を強固に固着できるうえに、保護管２１の凹凸形状２１１に接着剤の固結層２２が食い込んで両部材２１，２２間もより強固に固着することができる。
【００１７】
＜６＞使用方法の一例
歪みを検出できる面状体１の使用方法の一例を図７に示す。
歪みを検出できる面状体１を盛土補強材として盛土３内に水平に敷設し、各層の歪みを検出できる面状体１からのびる光ファイバ２を、公知の歪み検出装置２３に接続する。
歪みを検出できる面状体１は、土を拘束して盛土３の滑りを抑える本来の補強機能に加えて、盛土３の変位計測機能を併有する。
すなわち、地盤沈下や土砂崩壊の予兆時には土砂移動が起きる。土砂移動を生じると、その箇所の歪みを検出できる面状体１に引張力や収縮力が働く。その結果、その所定位置にある保護管２１と光ファイバ２に歪みが生じる。
【００１８】
この光ファイバ２の変位を歪み検出装置２２で測定することにより、盛土３のどこに土のズレが生じているかを観測することができる。
また、歪みを検出できる面状体１を盛土３に層状に配置することにより、盛土全体の歪みを観測することができる。
【００１９】
歪みを検出できる面状体１は、図７では盛土補強材として使用した場合について示したが、その他に排水材、土木シート、フィルタ、遮水シートなどの土木用材料の面状体を使用すれば、これらの本来の機能と共に、歪み計としても使用することができる。
また歪みを検出できる面状体１は、トンネル、堤防、ダムなどの各種の土木工事において、歪みの計測だけを目的として使用してもよい。
【００２０】
＜７＞他の実施の形態
図８，９は、保護管２１１に凹凸形状を設けないで面状体本体１４に組み込んだ場合と、この凹凸形状を設けない保護管２１１に光ファイバ２を収容して歪みを検出できる面状体１を形成した場合を示す。
【００２１】
又、以上は予め保護管２１を組み付けてから光ファイバ２を後から挿入してセットする場合について説明したが、予め保護管２１に光ファイバ２を挿入しておき、光ファイバ２を挿入した状態の保護管２１を面状体本体１４の製造時に一緒に組み込んでも良い。この場合、保護管２１には光ファイバ２を熔融熱から保護できるだけの断熱性（低熱伝導性）のある素材を用いる必要がある。
【図面の簡単な説明】
【００２２】
【図１】格子状の歪みを検出できる面状体の説明図
【図２】保護管に凹凸形状を形成する加工装置の説明図
【図３】保護管に凹凸形状を形成する他の加工装置の説明図
【図４】保護管を埋設した面状体本体の横断断面図
【図５】保護管に光ファイバを収容した面状体本体の横断断面図
【図６】格子状の歪みを検出できる面状体の製造方法の説明図
【図７】歪みを検出できる面状体を盛土変位の計測用途に適用した説明図
【図８】凹凸形状のない保護管に光ファイバを収容した面状体本体の横断断面図
【図９】凹凸形状のない格子状の歪みを検出できる面状体の説明図
【符号の説明】
【００２３】
１・・・歪みを検知できる面状体
１１・・横材
１２・・縦材
１３・・補強線
１４・・面状体本体
２・・・光ファイバ
２１・・保護管
２１１・凹凸形状
２２・・接着薬の固結層
２３・・光ファイバ歪み検出装置
３・・・盛土
４・・・面状体の製造装置
４１・・容器
４２・・形成部
４３・・巻取ドラム
５・・・加工装置
５１・・成形用ローラ
【図１】
2005308535.tif 000003
【図２】
2005308535.tif 000004
【図３】
2005308535.tif 000005
【図４】
2005308535.tif 000006
【図５】
2005308535.tif 000007
【図６】
2005308535.tif 000008
【図７】
2005308535.tif 000009
【図８】
2005308535.tif 000010
【図９】
2005308535.tif 000011